(57)【特許請求の範囲】
【請求項１】
薄型平板状に形成されたディスプレイ部と、前記ディスプレイ部を載置面上に支持するスタンド部とを有するディスプレイ装置であって、
前記スタンド部は、Ｖ字型をなすように連接された第１のアーム部と第２のアーム部とを有し、
前記第１のアーム部の先端は前記ディスプレイ部の裏面にヒンジ部を介して前後方向に回動可能に取り付けられ、
前記スタンド部は、前記第１のアーム部を前記ヒンジ部から斜め下方に延在させ、前記第２のアーム部をディスプレイ部の下方で前後方向に延在させ、前記第２のアーム部を載置面上に載置することにより、前記ディスプレイ部を載置面から離間させて支持する第１の支持状態と、前記第１のアーム部を前記ヒンジ部から斜め上方に延在させ、前記第２のアーム部を第１のアーム部の端部から斜め下方に延在させ、前記第２のアーム部の先端部とディスプレイ部の下端部とを載置面上に載置することにより、前記ディスプレイ部を載置面上に当接させた状態で支持する第２の支持状態とが形成されるように構成されている、
ことを特徴とするディスプレイ装置。
【請求項２】
前記ヒンジ部は前記ディスプレイ部の裏面の下端部近傍に設けられていることを特徴とする請求項１記載のディスプレイ装置。
【請求項３】
前記ディスプレイ部の裏面に前記第２の支持状態において前記第１のアーム部の一部が収納配置される凹部を有することを特徴とする請求項１記載のディスプレイ装置。
【請求項４】
前記第１のアーム部と第２のアーム部が分離可能に設けられていることを特徴とする請求項１記載のディスプレイ装置。
【請求項５】
前記第１の支持状態において、前記第１のアーム部に臨む側とは反対の側に位置する前記第２のアーム部の裏面部が複数箇所の接触部による点接触によって載置面上に載置されることを特徴とする請求項１記載のディスプレイ装置。
【請求項６】
前記複数箇所の接触部のうち少なくとも一部の接触部が摩擦係数の大きい摩擦部材より形成されていることを特徴とする請求項５記載のディスプレイ装置。
【請求項７】
前記第１のアーム部と第２のアーム部とは、前記第１のアーム部に臨む側とは反対の側に位置する第２のアーム部の裏面部に形成された挿通孔から第１のアーム部側に螺合されたねじによって分離可能に結合され、第２のアーム部の裏面部に形成された挿通孔にキャップが設けられ、前記キャップが摩擦係数が大きい摩擦部材により形成されて前記接触部を構成していることを特徴とする請求項６記載のディスプレイ装置。
【請求項８】
前記第２の支持状態において、前記第２のアーム部の先端部とディスプレイ部の下端部が複数箇所の接触部による点接触によって載置面上に載置されることを特徴とする請求項１記載のディスプレイ装置。
【請求項９】
前記複数箇所の接触部のうち少なくとも一部の接触部が摩擦係数の大きい摩擦部材より形成されていることを特徴とする請求項８記載のディスプレイ装置。
【請求項１０】
前記ディスプレイ部の下側縁部に、摩擦係数の大きい摩擦部材より形成された複数の突起片が設けられ、前記突起片は前記摩擦係数の大きい摩擦部材より形成された接触部を構成していることを特徴とする請求項９記載のディスプレイ装置。
【請求項１１】
前記第２のアーム部の先端には、該第２のアーム部の延在方向とほぼ直交する方向に延在するフランジ部が設けられ、前記フランジの先端縁は、中央から両側にかけて徐々にせり出した円弧状に形成され、前記第２の支持状態において、ディスプレイ部の下端部の複数箇所と、前記フランジの先端縁の最もせり出した両側部が前記載置面に点接触することにより載置面上に載置されることを特徴とする請求項１記載のディスプレイ装置。
【請求項１２】
前記第１のアーム部と第２のアーム部との間に形成される空隙部が、前記第１の支持状態においてキーボード装置を収納し載置することができるキーボード収容部として形成されていることを特徴とする請求項１記載のディスプレイ装置。
【請求項１３】
前記第１のアーム部と第２のアーム部は左右方向の幅を有して平板状に形成されていることを特徴とする請求項１記載のディスプレイ装置。
【請求項１４】
前記ヒンジ部は前記ディスプレイ部と第１のアーム部との間の回動動作に対して摩擦力を付与する摩擦機構を有することを特徴とする請求項１記載のディスプレイ装置。
【発明の詳細な説明】
【０００１】
【発明の属する技術分野】
本発明は、薄型平板状に形成されたディスプレイ部と、このディスプレイ部を支持するスタンド部とを有するディスプレイ装置に関し、特にディスプレイ部の高さ位置や傾斜角度を適宜に変化させて用いることができるディスプレイ装置に関するものである。
【０００２】
【従来の技術】
従来、例えばパーソナルコンピュータのペリフェラル等に用いられるディスプレイ装置として、液晶パネル等による薄型平板状のディスプレイ部をスタンド部によって支持した構造のものが提供されている。
そして最近では、スタンド部を折り畳み構造とすることにより、ディスプレイ部を机上で浮いた第１の支持状態で支持するだけでなく、ディスプレイ部を机上に降ろした第２の支持状態で支持でき、ユーザの利便を図るようにしたものが提案されている（例えば、特許文献１参照）。
【０００３】
【特許文献１】
特開２００２−７３２１４号公報（図２４、図２５）
【０００４】
【発明が解決しようとする課題】
しかしながら、上述した従来例では、スタンド部は、多関節構造の支持アームで構成されており、ディスプレイ部の裏面と支持アームの上端部との間にヒンジ部を設けると共に、さらに別の２つのヒンジ部を支持アームの中途部及び基端部に設けており、構成が複雑でコスト高となる問題がある。
【０００５】
そこで本発明の目的は、ディスプレイ部を机上に浮かした第１の支持状態と、ディスプレイ部を机上に降ろした第２の支持状態とを得ることができる簡単な構成で安価なディスプレイ装置を提供することにある。
【０００６】
【課題を解決するための手段】
本発明は前記目的を達成するため、薄型平板状に形成されたディスプレイ部と、前記ディスプレイ部を載置面上に支持するスタンド部とを有するディスプレイ装置であって、前記スタンド部は、Ｖ字型をなすように連接された第１のアーム部と第２のアーム部とを有し、前記第１のアーム部の先端は前記ディスプレイ部の裏面にヒンジ部を介して前後方向に回動可能に取り付けられ、前記スタンド部は、前記第１のアーム部を前記ヒンジ部から斜め下方に延在させ、前記第２のアーム部をディスプレイ部の下方で前後方向に延在させ、前記第２のアーム部を載置面上に載置することにより、前記ディスプレイ部を載置面から離間させて支持する第１の支持状態と、前記第１のアーム部を前記ヒンジ部から斜め上方に延在させ、前記第２のアーム部を第１のアーム部の端部から斜め下方に延在させ、前記第２のアーム部の先端部とディスプレイ部の下端部とを載置面上に載置することにより、前記ディスプレイ部を載置面上に当接させた状態で支持する第２の支持状態とが形成されるように構成されていることを特徴とする。
【０００７】
本発明のディスプレイ装置では、スタンド部がＶ字型に屈曲した状態で連設された第１のアーム部と第２のアーム部より構成され、第１のアーム部とディスプレイ部だけがヒンジ部で取り付けられている。
そして、第２のアーム部をディスプレイ部の下方で前後方向に延在させることにより、第２のアーム部を載置面上に載置し、ディスプレイ部を載置面から離間させて支持する第１の支持状態が得られる。
また、第１のアーム部をヒンジ部から斜め上方に延在させることにより、第２のアーム部の先端部とディスプレイ部の下端部とを載置面上に載置し、ディスプレイ部を載置面上に当接させた状態で支持する第２の支持状態が得られる。
このように本発明のディスプレイ装置では、ヒンジ部がディスプレイ部とスタンド部の間にのみ設けられた簡素な構造により、安価な支持構造のディスプレイ装置を提供することができる。
【０００８】
【発明の実施の形態】
以下、本発明によるディスプレイ装置の実施の形態について説明する。
図１及び図２は本発明の実施の形態例によるディスプレイ装置の外観を示す図であり、図１（Ａ）は側面図、図１（Ｂ）は背面図、図２（Ａ）は上面図、図２（Ｂ）は正面図、図２（Ｃ）は底面図である。
また、図３、図４、図５、及び図６は、図１及び図２に示すディスプレイ装置における支持態様を示す側面図である。
図示のように、本例のディスプレイ装置は、薄型平板状に形成されたディスプレイ部１００と、このディスプレイ部１００を載置面上に支持するスタンド部２００とを有して構成されている。なお、本例では、ディスプレイ装置とは別体のキーボード装置３００を用いる場合について説明する。
【０００９】
まず、ディスプレイ部１００について説明する。
本例のディスプレイ部１００は、例えば液晶表示パネルや有機ＥＬパネル等を用いたものであり、長方形の薄型平板状のケース１１０の前面に所定のアスペクト比を有する表示画面１２０が設けられている。そして、ケース１１０の前面には、表示画面１２０の右上に、電源投入状態を示すＬＥＤ表示灯１１２が設けられている。
また、ケース１１０の片方の側面部には、表示画面１１２の電源をオンオフするための電源キー１１４、表示画面１２０の輝度調整等のメニュー表示を選択するためのメニューキー１１６、及びメニュー表示上での選択操作を行うための操作キー１１８が設けられている。
また、ケース１１０の裏面の下側縁部の両側近傍には、摩擦係数の大きい摩擦材料としてのゴム材よりなる一対の突起片１２２、１２４が設けられている。これら突起片１２２、１２４は、ケース１１０の下側縁部に接着等によって取り付けられており、後述する第２の支持状態において机等の載置面に当接する接触部となるものである。
【００１０】
また、ケース１１０の裏面の下側部近傍には、後述するスタンド部２００の第１のアーム部２１０を前後方向に回動自在に連結するためのヒンジ部４００が設けられている。
前記ヒンジ部４００は、ケース１１０と第１のアーム部２１０を回動自在に結合した水平方向の支軸４１０（図１（Ａ）参照）を有し、この支軸４１０の近傍に摩擦機構（図示せず）を組み込んだものであり、スタンド部２００に対してディスプレイ部１００を所望の角度に回動操作する際に、その回動動作に対して一定の摩擦力を付与するようになっている。そして、本例の摩擦機構では、ディスプレイ部１００の角度範囲に応じて２段階の摩擦力を付与する構造が用いられており、ディスプレイ部１００を通常使用する角度であると想定される所定の角度範囲（例えば、図５（Ａ）、（Ｂ）で示す第１の支持状態での所定の角度範囲および図６（Ａ）乃至（Ｃ）で示す第２の支持状態での所定の角度範囲）にある場合には、比較的操作し易い小さい摩擦力を付与し、逆にこの所定の角度範囲外にある場合（例えば、図４（Ｂ）に示すように、第１の支持状態と第２の支持状態との間で切り換える角度範囲）には、大きい摩擦力を付与するようになっている。なお、摩擦機構の他の例としては、複数段階に異なる摩擦力を付与する代わりに、徐々に変化する摩擦力を付与するようにしてもよい。また、ディスプレイ部１００が所定の角度を通過する際に大きい摩擦力を付与するような構造とし、操作者にクリック感を与えるようにすることも可能である。このような摩擦機構としては、従来公知の様々の方式のものが採用可能である。
【００１１】
また、ケース１１０の裏面には、ヒンジ部４００の上方位置に、後述する第２の支持状態においてスタンド部２００の第１のアーム部２１０の一部を収納するための収納凹部１２６が形成されている。この収納凹部１２６は、スタンド部２００の第１のアーム部２１０に対応する長方形の溝状に形成されたものであり、ヒンジ部４００を支点としてスタンド部２００の第１のアーム部２１０をケース１１０側に畳み込むことにより、第１のアーム部２１０をほぼ密着した状態で収納するようになっている。
また、ケース１１０の裏面には、コネクタ収納部１３０が形成されており、蓋１３２が装着されている。
さらに、ケース１１０の裏面の上下領域には、放熱孔１３４が多数形成されている。
【００１２】
次に、スタンド部２００について説明する。
本例のスタンド部２００は、ディスプレイ部１００の裏面にヒンジ部４００を介して取り付けられる第１のアーム部２１０と、この第１のアーム部２１０にＶ字型をなすように屈曲した状態で連設された第２のアーム部２２０とを有するものである。なお、本例において、第１のアーム部２１０と第２のアーム部２２０は、約５０°の角度をもって屈曲した構造となっている。
このスタンド部２００は、図５に示すように、第１のアーム部２１０をヒンジ部４００から斜め下方に延在させ、第２のアーム部２２０をディスプレイ部１００の下方で前後方向に延在させ、第２のアーム部２２０を机等の載置面上に載置することにより、ディスプレイ部１００を載置面から離間させて支持する第１の支持状態と、図６に示すように、第１のアーム部２１０をヒンジ部４００から斜め上方に延在させ、第２のアーム部２２０を第１のアーム部２１０の端部から斜め下方に延在させ、第２のアーム部２２０の先端部とディスプレイ部１００の下端部とを載置面上に載置することにより、ディスプレイ部１００を載置面上に当接させた状態で支持する第２の支持状態とが形成されるように構成されている。
【００１３】
以下、本例のスタンド部２００の各構成について説明する。
なお、第１のアーム部２１０及び第２のアーム部２２０における上下方向及び前後方向は、第１の支持状態と第２の支持状態とで逆転することになるが、以下の説明では図１及び図２に示す状態（第１の支持状態）における上下方向及び前後方向を基準として説明するものとする。
【００１４】
第１のアーム部２１０は、厚さに比べて大きな左右幅と、この左右幅よりも大きな長さを有する長方形の平板状に形成されており、本例では、ディスプレイ部１００の左右幅の１／４程度の幅を有している。
第１のアーム部２１０の上端部がヒンジ部４００を介してディスプレイ部１００の裏面部に連結され、ディスプレイ部１００の前後方向に回動可能に結合されている。
なお、第１のアーム部２１０の上端部はヒンジ部４００を中心に円弧状に形成され、スムーズな回動動作を確保できるようになっている。また、第１のアーム部２１０の下端部は、第２のアーム部２２０を結合するための突き当て面として所定の傾斜角度を有する平面状に形成されている。
【００１５】
一方、第２のアーム部２２０は、全体として第１のアーム部２１０と同等の厚さ、幅、長さを有する平板状に形成されているが、その先端部には第１のアーム部２１０の延在方向と直交する方向に延在する幅の広いフランジ部２２２が設けられている。本例では、フランジ部２２２はディスプレイ部１００の左右幅の１／２程度の幅を有している。
また、図１（Ａ）に示すように、第２のアーム部２２０の後端部には、第１のアーム部２１０の下端部が結合される結合部２３０が設けられている。
この結合部２３０は、第１のアーム部２１０の下端部と密着する平面状に形成されおり、その裏面部（第１のアーム部２１０に臨む側とは反対の側に位置する箇所）から一対の結合ねじ２４０を通すための一対の挿通孔２３２が形成されている。また、第１のアーム部２１０の下端部には、結合ねじ２４０がねじ込まれるねじ孔２１２が形成されている。
第１のアーム部２１０と第２のアーム部２２０は、第２のアーム部２２０の結合部２３０と第１のアーム部２１０の下端部とを突き合わせて密着させた状態で、裏面部から２本の結合ねじ２４０を用いてねじ止めすることによって結合するようになっている。
【００１６】
このように、第１のアーム部２１０と第２のアーム部２２０とを結合ねじ２４０によって結合する構造を用いたことにより、結合ねじ２４０を外せば、第１のアーム部２１０から第２のアーム部２２０を分離できる。
したがって、例えば梱包時においては、ディスプレイ部１００から第１のアーム部２１０を外すことなく（すなわち、ヒンジ部４００を分解することなく）、第１のアーム部２１０をディスプレイ部１００の収納凹部１２６内に畳んだ状態でコンパクトにまとめることができ、さらに平板状の第２のアーム部２２０をディスプレイ部１００と第１のアーム部２１０のユニットに沿って平行に配置することで、極めてコンパクトに状態で梱包することができる。また、２本の結合ねじ２４０の操作だけで、組み立て、分離を行うことができ、極めて容易に取り扱うことができる。
【００１７】
また、第２のアーム部２２０の裏面部において、結合ねじ２４０を通すための挿通孔２３２には、摩擦係数の大きい摩擦部材としてのゴム材よりなる一対のキャップ２４２、２４４が装着されている。このキャップ２４２、２４４は、挿通孔２３２の開口形状に対応する長方形の平板状に形成されており、長手方向の一方の端部が挿通孔２３２の内縁部に接着され、この接着部を支点として回転操作することにより、挿通孔２３２の開口を開閉するようになっている。
なお、第２のアーム部２２０の各ねじ止め位置は、第２のアーム部２２０の両側近傍に形成されており、各キャップ２４２、２４４は十分な間隔をもって配置されている。
これらキャップ２４２、２４４は、第１の支持状態において、机等の載置面上に当接する接触部として機能するものである。
【００１８】
また、第２のアーム部２２０のフランジ部２２２の両側裏面（下面）部には、一対の突起部２２４、２２６が形成されている。
これら突起部２２４、２２６は、第１の支持状態において、机等の載置面上に当接する接触部として機能するものである。
すなわち、第１の支持状態においては、図１に示すように、上述した一対のキャップ２４２、２４４と一対の突起部２２４、２２６の４点による点接触によって第２のアーム部２２０の裏面部を載置面上に載置し、ディスプレイ部１００を載置面より浮いた状態で支持する。
このように点接触で第２のアーム部２２０を載置面上に載置する構成により、第２のアーム部２２０の裏部を汚すことなく、したがって、図６に示す第２の支持状態において第２のアーム部２２０の裏面部が外側に現れるが、この場合に美観を維持することが可能となっている。
そして本例では、キャップ２４２、２４４が摩擦材料（ゴム材）よりなり、滑り止めとして機能するための、第１の支持状態において安定した載置状態を得ることができる。
【００１９】
また、図２（Ａ）、（Ｃ）に示すように、第２のアーム部２２０のフランジ部２２２の前縁部２２８は、中央から両側にかけて徐々に前方にせり出した曲率の大きい円弧状に形成されており、最もせり出した両側部２２８Ａ、２２８Ｂが第２の支持状態において載置面に当接する接触部として形成され、また、このような形状とすることでオペレータから見て違和感のない外形としている。
すなわち、第２の支持状態においては、上述したディスプレイ部１００の一対の突起片１２２、１２４と第２のアーム部２２０のフランジ部２２２の一対の両側部２２８Ａ、２２８Ｂとの４点による点接触によってディスプレイ部１００と第２のアーム部２２０を載置面上に載置し、ディスプレイ部１００を載置面に着地した状態で支持する。
このように点接触で第２の支持状態を得る構成により、ディスプレイ部１００の下端全域が汚れないことは無論のこと、フランジ部２２２の前縁部２２８全域も汚れることはなく、したがって、図５に示す第１の支持状態においてオペレータにフランジ部２２２の前縁部２２８が対向するが、この場合に美観を維持することが可能となっている。
そして本例では、ディスプレイ部１００の突起片１２２、１２４が摩擦材料（ゴム材）よりなり、滑り止めとして機能するための、第２の支持状態において安定した載置状態を得ることができる。
【００２０】
次に、以上のような構成を有するディスプレイ装置の利用形態について説明する。
まず、図３（Ａ）は本例のディスプレイ装置を第１の支持状態で使用している例を示している。
この状態では、スタンド部２００の第２のアーム部２２０がディスプレイ部１００の下方で前後方向に延在し、第２のアーム部２２０の前縁部２２８がディスプレイ部１００よりも前方に配置され、第２のアーム部２２０の裏面部が机等の載置面５００上に載置されている。
そして、キーボード装置３００は、ディスプレイ装置の前方に配置され、オペレータによる入力作業が行われる。なお、本例のキーボード装置３００は、本体部３１０の前端部に補助台３２０を設置して入力作業を行う構造であり、この補助台３２０は、２つ折りの折り畳み式を構成を有し、図３（Ｂ）に示すように、２つ折りの補助台３２０を展開して本体部３１０側に折り返すことにより、本体部３１０の上面を覆うカバーとして機能するようになっている。
【００２１】
また、この第１の支持状態において、キーボード装置３００の非使用時には、図３（Ｂ）に示すように、キーボード装置３００をスタンド部２００の第１のアーム部２１０と第２のアーム部２２０との間の空隙部に形成されるキーボード収納部２０２に収納することで、机上のスペースを確保でき、他の作業を行うことできる。
この際、第２のアーム部２２０の上面部（第１のアーム部２１０に臨む側）は、キーボード装置３００を安定的に保持するための載置部２０４として機能する。なお、キーボード装置３００の収納状態を安定するために、単純に載置するだけの構造ではなく、例えば第２のアーム部２２０の載置部２０４に、キーボード装置３００の本体部３１０を係合保持するための爪部を設けたり、摩擦部材を設けるようにしてもよい。
【００２２】
また、図３（Ｃ）は本例のディスプレイ装置を第２の支持状態で使用している例を示している。
この状態では、スタンド部２００をディスプレイ部１００を後方に回動操作することにより、第１のアーム部２１０をケース１１０の収納凹部１２６に収納してディスプレイ部１００の裏面に沿わせて配置し、第２のアーム部２２０をディスプレイ部１００の裏面から斜め下方に延在させ、第２のアーム部２２０の先端部をなすフランジ部２２２とディスプレイ部１００の下端部とを載置面５００上に載置し、ディスプレイ部１００を載置面５００上に当接させた状態で支持する。
【００２３】
また、図４は第１の支持状態から第２の支持状態に変更する場合の操作例を示している。
図４（Ａ）において、第１の支持状態で設置されたディスプレイ装置を、例えば図４（Ｂ）に示すように、スタンド部２００を矢線αに示すように後方に回動操作するだけで、図４（Ｃ）に示すように、第２の支持状態で設置できる。
また、図５（Ａ）（Ｂ）に示すように、第１の支持状態において、スタンド部２００に対してディスプレイ部１００の角度を適宜調整することにより、表示画面の角度を微調整することがきる。
さらに、図６（Ａ）（Ｂ）（Ｃ）に示すように、第２の支持状態においも、スタンド部２００に対してディスプレイ部１００の角度を適宜調整することにより、表示画面の角度を微調整することがきる。
【００２４】
【発明の効果】
以上説明したように本発明のディスプレイ装置では、ディスプレイ部とスタンド部との間だけにヒンジ部を設けた簡素な構造により、ディスプレイ部を机上に浮かした第１の支持状態と、ディスプレイ部を机上に降ろした第２の支持状態とを得られる安価なディスプレイ装置を提供することが可能となる。
【図面の簡単な説明】
【図１】（Ａ）、（Ｂ）はディスプレイ装置の外観を示す側面図及び背面図である。
【図２】（Ａ）、（Ｂ）、（Ｃ）はディスプレイ装置の外観を示す上面図、正面図、及び底面図である。
【図３】（Ａ）、（Ｂ）、（Ｃ）はディスプレイ装置の使用形態を示す側面図である。
【図４】（Ａ）、（Ｂ）、（Ｃ）はディスプレイ装置の使用形態を示す側面図である。
【図５】（Ａ）、（Ｂ）は第１の支持状態の説明図である。
【図６】（Ａ）、（Ｂ）、（Ｃ）は第２の支持状態の説明図である。
【符号の説明】
１００……ディスプレイ部、２００……スタンド部、２１０……第１のアーム部、２２０……第２のアーム部、３００……キーボード装置、４００……ヒンジ部。
【図１】
0003598517.tif 000002
【図２】
0003598517.tif 000003
【図３】
0003598517.tif 000004
【図４】
0003598517.tif 000005
【図５】
0003598517.tif 000006
【図６】
0003598517.tif 000007